(57)【要約】【課題】医療情報の公開範囲を柔軟に変更できるようにすることで、医療業務の効率化を促進させる。【解決手段】医療情報のそれぞれに対して当該医療情報を参照可能な医療従事者の公開範囲が設定されており、医療情報のそれぞれについて当該医療情報に対応する公開範囲に含まれる医療従事者に対応するログインアカウントからアクセスがあった場合に、当該医療情報の参照を許可する医療情報管理装置において、指定された医療情報に対応する公開範囲に含まれていない医療従事者から公開要求があった場合に、指定された医療情報を登録した医療従事者の承諾に応じて、指定された医療情報に対応する公開範囲を変更する。【選択図】図１５
2019012385.tif 000002
【特許請求の範囲】
【請求項１】
医療情報を記憶する第１記憶手段と、
前記第１記憶手段に記憶されている医療情報のそれぞれに対して、当該医療情報を参照可能な医療従事者の公開範囲を記憶する第２記憶手段と、
前記第１記憶手段に記憶されている医療情報のそれぞれについて、当該医療情報に対応する公開範囲に含まれる医療従事者に対応するログインアカウントからアクセスがあった場合に、当該医療情報の参照を許可する公開制御手段と、
前記第２記憶手段に記憶されている公開範囲のうち指定された医療情報に対応する公開範囲を変更する変更手段と、
を備える医療情報管理装置。
【請求項２】
前記変更手段は、前記指定された医療情報の参照を許可又は禁止する医療従事者を、医療従事者単位で設定することで、前記指定された医療情報に対応する公開範囲を変更する請求項１に記載の医療情報管理装置。
【請求項３】
前記第２記憶手段に予め登録されている公開範囲は、医療従事者の職種単位で設定されている請求項１又は２に記載の医療情報管理装置。
【請求項４】
前記第１記憶手段に医療情報のそれぞれを登録した医療従事者を記憶する第３記憶手段と、
前記指定された医療情報の参照を希望する医療従事者に対応するログインアカウントから前記指定された医療情報の公開要求があった場合に、前記第３記憶手段から前記指定された医療情報を登録した医療従事者を取得し、当該取得された医療従事者の通知先に前記指定された医療情報の公開要求を送信する公開要求手段と、
を備え、
前記変更手段は、前記指定された医療情報を登録した医療従事者に対応するログインアカウントにおいて前記指定された医療情報の公開が承諾された場合に、前記第２記憶手段に記憶されている前記指定された医療情報に対応する公開範囲に前記指定された医療情報の参照を希望する医療従事者を追加する請求項１から３のいずれか一項に記載の医療情報管理装置。
【請求項５】
前記変更手段により前記指定された医療情報に対応する公開範囲に前記指定された医療情報の参照を希望する医療従事者が追加された場合に、当該追加された医療従事者の通知先に前記指定された医療情報に対応する公開範囲が変更されたことを通知する通知手段を備える請求項４に記載の医療情報管理装置。
【請求項６】
前記変更手段により前記指定された医療情報に対応する公開範囲が変更される際に、当該公開範囲を変更する公開期限を設定する公開期限設定手段を備え、
前記公開制御手段は、前記指定された医療情報に対応する公開範囲に追加された医療従事者に対応するログインアカウントからアクセスがあった場合に、前記設定された公開期限内であるときには、前記指定された医療情報の参照を許可する請求項４又は５に記載の医療情報管理装置。
【請求項７】
前記変更手段により前記指定された医療情報に対応する公開範囲が変更される際に、当該公開範囲の変更を許可する公開回数を設定する公開回数設定手段を備え、
前記公開制御手段は、前記指定された医療情報に対応する公開範囲に追加された医療従事者に対応するログインアカウントからアクセスがあった場合に、当該追加された医療従事者による前記指定された医療情報の参照回数が前記設定された公開回数未満であるときには、前記指定された医療情報の参照を許可する請求項４又は５に記載の医療情報管理装置。
【請求項８】
前記第１記憶手段に記憶されている医療情報のうちいずれか一の医療情報を特定するための情報、前記一の医療情報の参照を一時的に許可する対象医療従事者、及び、前記一の医療情報の参照を許可する公開期間を含む変更予定情報を記憶する第４記憶手段を備え、
前記変更手段は、前記第４記憶手段に記憶されている変更予定情報に基づいて、前記公開期間となった場合に、前記一の医療情報に対応する公開範囲に前記対象医療従事者を追加し、前記公開期間が終了した場合に、前記一の医療情報に対応する公開範囲から前記対象医療従事者を削除する請求項１から７のいずれか一項に記載の医療情報管理装置。
【請求項９】
医療情報を記憶する第１記憶手段を備える医療情報管理装置と、医療施設に所属する医療従事者により使用されるクライアント端末と、が通信ネットワークを介してデータ通信可能に接続された医療情報共有システムであって、
前記医療情報管理装置は、
前記第１記憶手段に記憶されている医療情報のそれぞれに対して、当該医療情報を参照可能な医療従事者の公開範囲を記憶する第２記憶手段と、
前記第１記憶手段に記憶されている医療情報のそれぞれについて、当該医療情報に対応する公開範囲に含まれる医療従事者に対応するログインアカウントからアクセスがあった場合に、当該医療情報の参照を許可する公開制御手段と、
前記第２記憶手段に記憶されている公開範囲のうち指定された医療情報に対応する公開範囲を変更する変更手段と、
を備える医療情報共有システム。
【発明の詳細な説明】
【技術分野】
【０００１】
本発明は、医療情報管理装置及び医療情報共有システムに関する。
【背景技術】
【０００２】
近年、医療技術の多様化に伴い、特定機能を持つ病院や診療所等の複数の医療施設が医療情報を共有し、連携して患者の検査や治療を行う医療連携が普及しつつある。また、在宅療養・介護の重要性が増してきており、病院、診療所、訪問看護ステーション、介護事業所等の医療施設間で医療情報が共有されるようになってきている。
【０００３】
例えば、患者が病院、介護施設、自宅等を移動し、多職種のスタッフ（医療従事者）が患者に関与するという状況で、各施設のスタッフの所属や職種によって、文書に対するアクセス権限が管理される多施設統合電子カルテシステムが提案されている（特許文献１参照）。
通常、このようなシステムでは、医療従事者の職種ごとに、患者に関する各種医療情報の公開範囲が設定されている。
【先行技術文献】
【特許文献】
【０００４】
【特許文献１】特許第５８２９３４７号公報
【発明の概要】
【発明が解決しようとする課題】
【０００５】
しかしながら、実際の医療現場では、患者の容態は日々変化するため、医療従事者が必要とする医療情報も変化する。そのため、医療従事者の職種ごとに画一的に医療情報の公開範囲を設定する方法では、使い勝手が悪く、医療業務の効率化が図れないという問題があった。
【０００６】
例えば、在宅患者の往診を主治医が副主治医に依頼する場合、医師間で患者の病状を記載したサマリーを共有するが、病状の変化が大きい時期には、医師は、医師以外の医療従事者が記録した日々の状態（バイタルサイン、食欲、排便等）も把握したいという要望がある。
また、医師以外の医療従事者が、多職種間で日々の状態を共有し、患者のＱＯＬ向上を目指す上で、患者の傷病名、処方等の医師の判断結果を把握することで、自分の業務に役立てたい場合もある。
【０００７】
また、個々の医療情報と参照権限（公開範囲）とが一対一で管理されていないため、一旦システムの運用が開始されてしまうと、参照権限の変更が行いづらい。
また、医療従事者の職種ごとに権限管理が行われる場合が多いため、個々の医療情報単位での権限管理は困難である。
【０００８】
本発明は、上記の従来技術における問題に鑑みてなされたものであって、医療情報の公開範囲を柔軟に変更できるようにすることで、医療業務の効率化を促進させることを課題とする。
【課題を解決するための手段】
【０００９】
上記課題を解決するために、請求項１に記載の発明は、医療情報を記憶する第１記憶手段と、前記第１記憶手段に記憶されている医療情報のそれぞれに対して、当該医療情報を参照可能な医療従事者の公開範囲を記憶する第２記憶手段と、前記第１記憶手段に記憶されている医療情報のそれぞれについて、当該医療情報に対応する公開範囲に含まれる医療従事者に対応するログインアカウントからアクセスがあった場合に、当該医療情報の参照を許可する公開制御手段と、前記第２記憶手段に記憶されている公開範囲のうち指定された医療情報に対応する公開範囲を変更する変更手段と、を備える医療情報管理装置である。
【００１０】
請求項２に記載の発明は、請求項１に記載の医療情報管理装置において、前記変更手段は、前記指定された医療情報の参照を許可又は禁止する医療従事者を、医療従事者単位で設定することで、前記指定された医療情報に対応する公開範囲を変更する。
【００１１】
請求項３に記載の発明は、請求項１又は２に記載の医療情報管理装置において、前記第２記憶手段に予め登録されている公開範囲は、医療従事者の職種単位で設定されている。
【００１２】
請求項４に記載の発明は、請求項１から３のいずれか一項に記載の医療情報管理装置において、前記第１記憶手段に医療情報のそれぞれを登録した医療従事者を記憶する第３記憶手段と、前記指定された医療情報の参照を希望する医療従事者に対応するログインアカウントから前記指定された医療情報の公開要求があった場合に、前記第３記憶手段から前記指定された医療情報を登録した医療従事者を取得し、当該取得された医療従事者の通知先に前記指定された医療情報の公開要求を送信する公開要求手段と、を備え、前記変更手段は、前記指定された医療情報を登録した医療従事者に対応するログインアカウントにおいて前記指定された医療情報の公開が承諾された場合に、前記第２記憶手段に記憶されている前記指定された医療情報に対応する公開範囲に前記指定された医療情報の参照を希望する医療従事者を追加する。
【００１３】
請求項５に記載の発明は、請求項４に記載の医療情報管理装置において、前記変更手段により前記指定された医療情報に対応する公開範囲に前記指定された医療情報の参照を希望する医療従事者が追加された場合に、当該追加された医療従事者の通知先に前記指定された医療情報に対応する公開範囲が変更されたことを通知する通知手段を備える。
【００１４】
請求項６に記載の発明は、請求項４又は５に記載の医療情報管理装置において、前記変更手段により前記指定された医療情報に対応する公開範囲が変更される際に、当該公開範囲を変更する公開期限を設定する公開期限設定手段を備え、前記公開制御手段は、前記指定された医療情報に対応する公開範囲に追加された医療従事者に対応するログインアカウントからアクセスがあった場合に、前記設定された公開期限内であるときには、前記指定された医療情報の参照を許可する。
【００１５】
請求項７に記載の発明は、請求項４又は５に記載の医療情報管理装置において、前記変更手段により前記指定された医療情報に対応する公開範囲が変更される際に、当該公開範囲の変更を許可する公開回数を設定する公開回数設定手段を備え、前記公開制御手段は、前記指定された医療情報に対応する公開範囲に追加された医療従事者に対応するログインアカウントからアクセスがあった場合に、当該追加された医療従事者による前記指定された医療情報の参照回数が前記設定された公開回数未満であるときには、前記指定された医療情報の参照を許可する。
【００１６】
請求項８に記載の発明は、請求項１から７のいずれか一項に記載の医療情報管理装置において、前記第１記憶手段に記憶されている医療情報のうちいずれか一の医療情報を特定するための情報、前記一の医療情報の参照を一時的に許可する対象医療従事者、及び、前記一の医療情報の参照を許可する公開期間を含む変更予定情報を記憶する第４記憶手段を備え、前記変更手段は、前記第４記憶手段に記憶されている変更予定情報に基づいて、前記公開期間となった場合に、前記一の医療情報に対応する公開範囲に前記対象医療従事者を追加し、前記公開期間が終了した場合に、前記一の医療情報に対応する公開範囲から前記対象医療従事者を削除する。
【００１７】
請求項９に記載の発明は、医療情報を記憶する第１記憶手段を備える医療情報管理装置と、医療施設に所属する医療従事者により使用されるクライアント端末と、が通信ネットワークを介してデータ通信可能に接続された医療情報共有システムであって、前記医療情報管理装置は、前記第１記憶手段に記憶されている医療情報のそれぞれに対して、当該医療情報を参照可能な医療従事者の公開範囲を記憶する第２記憶手段と、前記第１記憶手段に記憶されている医療情報のそれぞれについて、当該医療情報に対応する公開範囲に含まれる医療従事者に対応するログインアカウントからアクセスがあった場合に、当該医療情報の参照を許可する公開制御手段と、前記第２記憶手段に記憶されている公開範囲のうち指定された医療情報に対応する公開範囲を変更する変更手段と、を備える。
【発明の効果】
【００１８】
本発明によれば、医療情報の公開範囲を柔軟に変更できるようにすることで、医療業務の効率化を促進させることができる。
【図面の簡単な説明】
【００１９】
【図１】本発明の実施の形態における医療情報共有システムのシステム構成図である。
【図２】医療情報管理装置の機能的構成を示すブロック図である。
【図３】施設情報テーブル、ユーザー情報テーブル、患者情報テーブル及び医療情報テーブルの例を示す図である。
【図４】公開職種初期値テーブルの例を示す図である。
【図５】公開要求管理テーブルの例を示す図である。
【図６】ファイル格納部におけるフォルダー構成を示す図である。
【図７】各医療情報について、登録ユーザーとなり得る職種、一時的に公開要求を行う職種を示す図である。
【図８】クライアント端末の機能的構成を示すブロック図である。
【図９】医療情報管理装置及びクライアント端末により実行される情報アップロード処理を示すラダーチャートである。
【図１０】医療情報管理装置及びクライアント端末により実行される情報登録処理を示すラダーチャートである。
【図１１】医療情報管理装置により実行される医療情報参照処理を示すフローチャートである。
【図１２】参照権限有無判断処理を示すフローチャートである。
【図１３】医療情報リスト画面の例である。
【図１４】公開要求確認画面の例である。
【図１５】医療情報管理装置により実行される公開要求応答処理を示すフローチャートである。
【図１６】公開承諾確認画面の例である。
【図１７】医療情報管理装置及びクライアント端末により実行される公開職種追加処理を示すラダーチャートである。
【図１８】医療情報管理装置及びクライアント端末により実行される公開禁止処理を示すラダーチャートである。
【図１９】変形例における医療情報管理装置により実行される公開範囲自動変更処理を示すフローチャートである。
【発明を実施するための形態】
【００２０】
以下、図面を参照して、本発明に係る医療情報共有システムの一実施形態について説明する。ただし、発明の範囲は、図示例に限定されない。
【００２１】
〔医療情報共有システムの構成〕
図１に、本実施の形態における医療情報共有システム１００のシステム構成を示す。
図１に示すように、医療情報共有システム１００は、医療情報管理装置１０と、各医療施設に所属する医療従事者が使用するクライアント端末２０と、を備えて構成されている。医療情報管理装置１０、クライアント端末２０は、通信ネットワークＮを介してデータ通信可能に接続されている。
【００２２】
医療情報管理装置１０は、クライアント端末２０から登録される医療情報を蓄積し管理する。医療情報管理装置１０は、クラウド環境に設けられたクラウドサーバーであってもよい。
【００２３】
クライアント端末２０は、各医療施設に所属する医療従事者により使用されるＰＣ（Personal Computer）、タブレット端末、スマートフォン等のコンピューター装置である。医療施設としては、医師（主治医、副主治医等）が所属する病院や診療所、患者の訪問看護を行う看護師が所属する訪問看護ステーション、患者のケアプランを作成するケアマネージャーや、患者の訪問介護を行うヘルパー（訪問介護員）が所属する介護事業所、薬剤師が所属する調剤薬局等が挙げられる。
クライアント端末２０は、患者の検査、治療、在宅療養・介護等に携わる医療従事者が医療情報管理装置１０に医療情報を登録する際、医療情報管理装置１０で管理されている医療情報を参照する際等に用いられる。
【００２４】
〔医療情報管理装置の構成〕
図２に、医療情報管理装置１０の機能的構成を示す。
図２に示すように、医療情報管理装置１０は、制御部１１、通信部１２、ＲＡＭ１３、計時部１４、記憶部１５等を備えて構成されており、各部はバス１６により接続されている。
【００２５】
制御部１１は、ＣＰＵ（Central Processing Unit）等から構成され、医療情報管理装置１０の各部の処理動作を統括的に制御する。具体的には、ＣＰＵは、記憶部１５に記憶されている各種処理プログラムを読み出してＲＡＭ１３に展開し、当該プログラムとの協働により各種処理を行う。
【００２６】
通信部１２は、ネットワークインターフェース等により構成され、ＬＡＮ（Local Area Network）、ＷＡＮ（Wide Area Network）、インターネット等の通信ネットワークＮを介して接続された外部機器との間でデータの送受信を行う。
【００２７】
ＲＡＭ１３は、制御部１１により実行制御される各種処理において、記憶部１５から読み出された各種プログラム、入力若しくは出力データ及びパラメーター等を一時的に記憶するワークエリアを形成する。
【００２８】
計時部１４は、計時回路（ＲＴＣ：Real Time Clock）を有し、この計時回路により現在日時を計時して制御部１１に出力する。
【００２９】
記憶部１５は、ＨＤＤ（Hard Disk Drive）や不揮発性の半導体メモリー等により構成され、各種処理プログラム、当該プログラムの実行に必要なパラメーターやファイル等を記憶している。例えば、記憶部１５には、外部機器に搭載されたＷｅｂブラウザーとＨＴＴＰプロトコルによる通信を行ってＷｅｂブラウザーに各種Ｗｅｂ画面を提供するＷｅｂサーバーとしての機能を実現させるためのＷｅｂサーバープログラムや、Ｗｅｂサーバー上で動作し、Ｗｅｂブラウザーを介して外部機器のユーザーに医療情報共有サービスを提供するためのアプリケーションプログラム等が記憶されている。
【００３０】
記憶部１５には、施設情報テーブルＴ１、ユーザー情報テーブルＴ２、患者情報テーブルＴ３、医療情報テーブルＴ４、公開職種初期値テーブルＴ５、公開要求管理テーブルＴ６が記憶されている。また、記憶部１５は、ファイル格納部１５１を有する。ファイル格納部１５１には、ファイルとして登録される医療情報が格納される。
【００３１】
図３に、施設情報テーブルＴ１、ユーザー情報テーブルＴ２、患者情報テーブルＴ３及び医療情報テーブルＴ４の例を示す。
【００３２】
施設情報テーブルＴ１は、患者の治療、在宅療養・介護等に携わる医療施設ごとに、医療施設に関する施設情報を管理するためのテーブルである。施設情報テーブルＴ１には、医療施設ごとに、施設ＩＤ、事業種別、名称、住所、電話番号、ＦＡＸ番号等が対応付けられて格納される。
施設ＩＤは、医療施設の識別情報である。
事業種別は、医療施設の事業種別（診療所、訪問看護ステーション、薬局、介護支援センター、介護事業所等）である。
名称は、医療施設の名称である。
住所は、医療施設の住所である。
電話番号は、医療施設の電話番号である。
ＦＡＸ番号は、医療施設のＦＡＸ番号である。
【００３３】
ユーザー情報テーブルＴ２は、医療情報共有システム１００を使用するユーザー（医療従事者）ごとに、ユーザーに関するユーザー情報を管理するためのテーブルである。ユーザー情報テーブルＴ２には、ユーザーごとに、ユーザーＩＤ、パスワード、氏名、電話番号、メールアドレス、施設ＩＤ、職種等が対応付けられて格納される。
ユーザーＩＤは、ユーザーの識別情報である。
パスワードは、ユーザーがシステムにログインする際のユーザー認証に用いられる。
氏名は、ユーザーの氏名である。
電話番号は、ユーザーの電話番号である。
メールアドレスは、ユーザーのメールアドレスである。
施設ＩＤは、ユーザーが所属する医療施設の施設ＩＤである。
職種は、ユーザーの職種（医師、看護師、薬剤師、ケアマネージャー、リハビリテーション専門職、ヘルパー等）である。
【００３４】
患者情報テーブルＴ３は、患者ごとに、患者に関する患者情報を管理するためのテーブルである。患者情報テーブルＴ３には、患者ごとに、患者ＩＤ、氏名、性別、生年月日、住所、電話番号、メールアドレス、禁忌、アレルギー等が対応付けられて格納される。
患者ＩＤは、患者の識別情報である。
氏名は、患者の氏名である。
性別は、患者の性別である。
生年月日は、患者の生年月日である。
住所は、患者の住所である。
電話番号は、患者の電話番号である。
メールアドレスは、患者のメールアドレスである。
禁忌は、禁忌薬等、患者に対する禁忌事項である。
アレルギーは、患者のアレルギーに関する情報である。
【００３５】
医療情報テーブルＴ４は、医療情報管理装置１０において蓄積管理される医療情報を管理するためのテーブルである。医療情報テーブルＴ４には、医療情報ごとに、患者ＩＤ、ファイルＩＤ、ファイル種類、項目コード、値、登録ユーザーＩＤ、登録日時、公開職種、公開職種の公開制限、公開ユーザー、公開ユーザーの公開制限、公開禁止ユーザー等が対応付けられて格納される。
【００３６】
医療情報は、ファイルとしてファイル格納部１５１に登録されるものと、医療情報の値が直接医療情報テーブルＴ４に登録されるものと、がある。医療情報テーブルＴ４の「ファイルＩＤ」、「ファイル種類」は、ファイルとして登録される医療情報についてのみ、情報が格納される。また、医療情報テーブルＴ４の「項目コード」、「値」は、医療情報テーブルＴ４に値が登録される医療情報についてのみ、情報が格納される。すなわち、ファイルとして登録される医療情報については、記憶部１５のファイル格納部１５１が医療情報を記憶する第１記憶手段として機能する。一方、値（文字、数字等）として登録される医療情報については、医療情報テーブルＴ４を記憶する記憶部１５が、医療情報を記憶する第１記憶手段として機能する。
【００３７】
患者ＩＤは、医療情報に対応する患者の患者ＩＤである。
ファイルＩＤは、システム内で付与されたファイルの識別情報である。ここでは、ファイルＩＤとして、「施設ＩＤ_ユーザーＩＤ_登録日時.拡張子」というルールで作成されたファイル名が用いられる。
ファイル種類は、医療情報のファイルの種類（診療情報提供書、ケアプラン等）を示す情報である。
項目コードは、医療情報の項目を示すコード（標準化コード）である。項目コードとして、傷病名、処方、バイタルサイン、介護サービス等の各項目に対応するコードが用いられる。
値は、医療情報の項目に対応する内容を示す情報であり、文字や数字等で表される。
【００３８】
登録ユーザーＩＤは、医療情報（ファイル・値）を登録した医療従事者のユーザーＩＤである。
登録日時は、医療情報が医療情報管理装置１０に登録された日時である。
公開職種は、医療情報が公開される医療従事者の職種（医師、看護師、薬剤師、ケアマネージャー、リハビリテーション専門職、ヘルパー等）である。「公開職種」に設定された職種に属するユーザー全員に対して医療情報が公開される。
公開職種の公開制限は、公開職種に対する医療情報の公開に関して定められた制限を示す情報である。公開職種の公開制限として、例えば、公開期限（公開終了日付、無期限等）、公開回数等が定められている。公開職種は複数登録可能であり、登録された公開職種のそれぞれに対して、公開制限が定められる。
公開ユーザーは、医療情報が公開される医療従事者のユーザーＩＤである。公開ユーザーは、公開職種以外の職種の医療従事者に医療情報を公開する場合に利用される。
公開ユーザーの公開制限は、公開ユーザーに対する医療情報の公開に関して定められた制限を示す情報である。公開ユーザーの公開制限として、例えば、公開期限（公開終了日付、無期限等）、公開回数等が定められている。公開ユーザーは複数登録可能であり、登録された公開ユーザーのそれぞれに対して、公開制限が定められる。
公開禁止ユーザーは、医療情報の公開が禁止される医療従事者のユーザーＩＤである。「公開禁止ユーザー」は、「公開職種」より優先されるため、公開職種に該当する医療従事者の一部に対して医療情報を公開したくない場合に利用される。
【００３９】
医療情報テーブルＴ４（公開職種、公開ユーザー、公開禁止ユーザー）を記憶する記憶部１５は、医療情報のそれぞれに対して、当該医療情報を参照可能な医療従事者の公開範囲を記憶する第２記憶手段として機能する。
また、医療情報テーブルＴ４（登録ユーザーＩＤ）を記憶する記憶部１５は、記憶部１５に医療情報のそれぞれを登録した医療従事者を記憶する第３記憶手段として機能する。
【００４０】
公開職種初期値テーブルＴ５は、医療情報を登録した医療従事者の職種に対する公開職種の初期値が定められたテーブルである。
図４に、公開職種初期値テーブルＴ５の例を示す。図４では、医療情報を登録した医療従事者（登録ユーザー）の職種ごとに、医療情報が公開される職種（初期値）がチェックマークで示されている。例えば、医師が登録した医療情報の公開職種の初期値は「医師」であり、看護師が登録した医療情報の公開職種の初期値は「看護師」、「ケアマネージャー」である。
医療情報テーブルＴ４に予め登録されている公開範囲は、公開職種初期値テーブルＴ５に基づいて、医療従事者の職種単位で設定されている。
【００４１】
図５に、公開要求管理テーブルＴ６の例を示す。
公開要求管理テーブルＴ６には、医療情報に対する公開要求ごとに、公開要求ＩＤ、患者ＩＤ、医療情報特定情報、公開要求者等が対応付けられて格納される。
公開要求ＩＤは、公開要求に対して付与される識別情報である。
患者ＩＤは、公開要求の対象とされる医療情報に対応する患者の患者ＩＤである。
医療情報特定情報は、公開要求の対象とされる医療情報を特定するための情報である。医療情報がファイルである場合には、医療情報特定情報は、ファイル種類と登録日時を含む。あるいは、医療情報特定情報として、ファイル種類と登録日時に代えて、ファイルＩＤを用いることとしてもよい。医療情報が医療情報テーブルＴ４に値で登録されたものである場合には、医療情報特定情報は、項目コードと登録日時を含む。
公開要求者は、医療情報の公開を要求する医療従事者のユーザーＩＤである。
【００４２】
図６に、ファイル格納部１５１におけるフォルダー構成を示す。
ルートフォルダーの下位階層には、患者ごとの患者ＩＤと一致する名称のフォルダー（患者ＩＤフォルダー）が作成される。
患者ＩＤフォルダーの下位階層には、患者ＩＤフォルダーに対応する患者に関する医療情報のファイルが格納される。なお、患者ＩＤフォルダーの下位階層にファイル種類ごとにフォルダーを作成し、このフォルダーに医療情報を分類して格納してもよい。
【００４３】
制御部１１は、クライアント端末２０において、各ユーザーに対応するログインアカウント（ユーザーＩＤ・パスワード）から医療情報管理装置１０にアクセスがあった場合に、記憶部１５のユーザー情報テーブルＴ２を参照して、予め登録されているユーザーであるか否かを判断する。制御部１１は、クライアント端末２０において入力されたユーザーＩＤ及びパスワードの組み合わせが、ユーザー情報テーブルＴ２に登録されている場合には、このユーザーＩＤに対応するユーザーが正当なユーザーであると判断する。
【００４４】
制御部１１は、記憶部１５に記憶されている医療情報のそれぞれについて、当該医療情報に対応する公開範囲に含まれる医療従事者に対応するログインアカウントからアクセスがあった場合に、当該医療情報の参照を許可する。すなわち、制御部１１は、公開制御手段として機能する。
【００４５】
制御部１１は、記憶部１５（医療情報テーブルＴ４）に記憶されている公開範囲のうち指定された医療情報に対応する公開範囲を変更する。すなわち、制御部１１は、変更手段として機能する。
例えば、制御部１１は、指定された医療情報の参照を許可又は禁止する医療従事者を、医療従事者単位で設定することで、指定された医療情報に対応する公開範囲を変更する。
【００４６】
制御部１１は、指定された医療情報の参照を希望する医療従事者に対応するログインアカウントから指定された医療情報の公開要求があった場合に、記憶部１５（医療情報テーブルＴ４）から指定された医療情報を登録した医療従事者を取得し、当該取得された医療従事者の通知先に指定された医療情報の公開要求を送信する。すなわち、制御部１１は、公開要求手段として機能する。
【００４７】
制御部１１は、指定された医療情報を登録した医療従事者に対応するログインアカウントにおいて指定された医療情報の公開が承諾された場合に、記憶部１５（医療情報テーブルＴ４）に記憶されている指定された医療情報に対応する公開範囲に指定された医療情報の参照を希望する医療従事者を追加する。
【００４８】
制御部１１は、指定された医療情報に対応する公開範囲に指定された医療情報の参照を希望する医療従事者が追加された場合に、当該追加された医療従事者の通知先に指定された医療情報に対応する公開範囲が変更されたことを通知する。すなわち、制御部１１は、通知手段として機能する。
【００４９】
制御部１１は、指定された医療情報に対応する公開範囲が変更される際に、当該公開範囲を変更する公開期限を設定する。すなわち、制御部１１は、公開期限設定手段として機能する。
制御部１１は、指定された医療情報に対応する公開範囲に追加された医療従事者に対応するログインアカウントからアクセスがあった場合に、設定された公開期限内であるときには、指定された医療情報の参照を許可する。
【００５０】
制御部１１は、指定された医療情報に対応する公開範囲が変更される際に、当該公開範囲の変更を許可する公開回数を設定する。すなわち、制御部１１は、公開回数設定手段として機能する。
制御部１１は、指定された医療情報に対応する公開範囲に追加された医療従事者に対応するログインアカウントからアクセスがあった場合に、当該追加された医療従事者による指定された医療情報の参照回数が設定された公開回数未満であるときには、指定された医療情報の参照を許可する。具体的には、医療従事者ごと、医療情報ごとに、当該医療情報を参照した回数をカウントする参照回数カウンター（初期値は「０」）が記憶部１５に設けられる。制御部１１は、今回の参照も含め、設定された公開回数までは、追加された医療従事者による指定された医療情報の参照を許可する。
【００５１】
図７に、各医療情報について、登録ユーザーとなり得る職種（●）、一時的に公開要求を行う職種（○）の例を示す。図７に挙げた医療情報のうち、処方箋と検査結果は、医療情報テーブルＴ４に値が直接登録される医療情報であり、その他はファイルとして登録される医療情報である。写真には、患者を撮影したもの（Ｘ線写真等も含まれる。）、書類を撮影したもの等が含まれる。訪問記録には、バイタルサイン、処置内容等が含まれる。
【００５２】
ここで、医療情報に対応する公開範囲を変更する場合として想定されるシーンについて説明する。
（１）ケアマネージャーが在宅患者の療養計画を策定する場合、医療情報が必要となるため、かかりつけ医から一時的に医療情報を公開してもらう（療養計画策定ごと、患者状態変更時）。
（２）かかりつけ医以外の医師が患者の主治医意見書を作成する場合、ケアマネージャーから一時的に医療情報を公開してもらう（１回のみ）。
（３）在宅患者の主治医が看護関係、薬局から問い合わせを受け、一時的に医療情報を公開する（問い合わせごと、問い合わせが多い場合は患者ごとに長期に亘って）。
（４）医師間で一時的に医療情報を公開する（褥瘡、虫歯等により主治医以外の医師により医療行為が行われる場合、アレルギー、禁忌薬、投薬中の薬等の情報を提供する）。
（５）患者から患者に関する医療情報を公開したくない医療従事者の指定を受けた場合、指定された医療従事者を公開範囲から除外する。
【００５３】
〔クライアント端末の構成〕
図８に、クライアント端末２０の機能的構成を示す。
図８に示すように、クライアント端末２０は、制御部２１、操作部２２、表示部２３、通信部２４、ＲＡＭ２５、記憶部２６等を備えて構成されており、各部はバス２７により接続されている。
【００５４】
制御部２１は、ＣＰＵ等から構成され、クライアント端末２０の各部の処理動作を統括的に制御する。具体的には、ＣＰＵは、操作部２２から入力される操作信号又は通信部２４により受信される指示信号に応じて、記憶部２６に記憶されている各種処理プログラムを読み出してＲＡＭ２５に展開し、当該プログラムとの協働により各種処理を行う。
【００５５】
操作部２２は、カーソルキー、文字入力キー及び各種機能キー等を備えたキーボードと、マウス等のポインティングデバイスを備えて構成され、キーボードに対するキー操作やマウス操作により入力された操作信号を制御部２１に出力する。
クライアント端末２０がタブレット端末、スマートフォン等である場合には、操作部２２は、電源をオン／オフさせる電源キー等の操作キー、表示部２３に積層されたタッチパネルにより構成され、各操作キーに対応する操作信号、ユーザーの指等によるタッチ操作の位置に応じた操作信号を制御部２１に出力する。
【００５６】
表示部２３は、ＬＣＤ（Liquid Crystal Display）等のモニターを備えて構成されており、制御部２１から入力される表示信号の指示に従って、各種画面を表示する。例えば、表示部２３は、医療情報管理装置１０から受信した各種Ｗｅｂ画面の表示用データに基づいて各種Ｗｅｂ画面を表示する。
【００５７】
通信部２４は、ネットワークインターフェース等により構成され、ＬＡＮ、ＷＡＮ、インターネット等の通信ネットワークＮを介して接続された外部機器との間でデータの送受信を行う。また、通信部２４は、携帯電話回線等を用いて無線通信を行い、通信ネットワークＮを介して接続された医療情報管理装置１０等の外部機器との間でデータの送受信を行う。
【００５８】
ＲＡＭ２５は、制御部２１により実行制御される各種処理において、記憶部２６から読み出された各種プログラム、入力若しくは出力データ及びパラメーター等を一時的に記憶するワークエリアを形成する。
【００５９】
記憶部２６は、ＨＤＤや不揮発性の半導体メモリー等により構成され、各種処理プログラム、当該プログラムの実行に必要なパラメーターやファイル等を記憶している。例えば、記憶部２６には、Ｗｅｂブラウザーを実現するためのＷｅｂブラウザープログラム等が記憶されている。
【００６０】
〔医療情報共有システムにおける動作〕
次に、医療情報共有システム１００における動作について説明する。
【００６１】
図９は、医療情報管理装置１０及びクライアント端末２０により実行される情報アップロード処理を示すラダーチャートである。この処理は、医療情報がファイルとして登録される場合の処理である。医療情報管理装置１０における処理は、制御部１１と記憶部１５に記憶されているプログラムとの協働によるソフトウェア処理によって実現され、クライアント端末２０における処理は、制御部２１と記憶部２６に記憶されているプログラムとの協働によるソフトウェア処理によって実現される。
【００６２】
まず、クライアント端末２０において、操作部２２によりＷｅｂブラウザー上から医療情報管理装置１０にアクセスするためのＵＲＬが入力されると、制御部２１により、入力されたＵＲＬに基づいて、通信部２４を介して医療情報管理装置１０にアクセスが行われる。
医療情報管理装置１０では、制御部１１により、クライアント端末２０に対し、通信部１２を介してログイン画面を表示するための表示用データが送信される。なお、医療情報管理装置１０のＷｅｂサーバー機能によりクライアント端末２０に送信されるログイン画面をはじめとする各種Ｗｅｂ画面の表示用データには、ＨＴＭＬ、スタイルシート、画像データ、クライアント端末２０で所定の処理を実行させるためのスクリプト等が含まれる。
【００６３】
クライアント端末２０では、通信部２４によりログイン画面の表示用データが受信されると、制御部２１により、表示部２３にログイン画面が表示される。ログイン画面には、ユーザーＩＤ及びパスワードの入力欄が含まれる。ログイン画面において、操作部２２からの操作により、ユーザーＩＤ及びパスワードが入力されると（ステップＳ１）、制御部２１により、入力されたユーザーＩＤ及びパスワードが通信部２４を介して医療情報管理装置１０に送信される。
【００６４】
医療情報管理装置１０では、通信部１２によりユーザーＩＤ及びパスワードが受信されると、制御部１１により、ユーザー認証が行われる（ステップＳ２）。具体的には、制御部１１により、記憶部１５のユーザー情報テーブルＴ２から、クライアント端末２０において入力されたユーザーＩＤと一致するレコードが検索され、検索されたレコードに含まれるパスワードとクライアント端末２０において入力されたパスワードが一致する場合には、ユーザー認証が成功したと判断される。
【００６５】
次に、クライアント端末２０において、操作部２２からの操作により、患者リスト要求が通信部２４を介して医療情報管理装置１０に送信されると（ステップＳ３）、医療情報管理装置１０では、制御部１１により、クライアント端末２０に対し、通信部１２を介して患者リスト画面を表示するための表示用データが送信される。
【００６６】
クライアント端末２０では、通信部２４により患者リスト画面の表示用データが受信されると、制御部２１により、表示部２３に患者リスト画面が表示される（ステップＳ４）。
患者リスト画面において、操作部２２からの操作により、医療情報（ファイル）をアップロードする患者が選択されると（ステップＳ５）、制御部２１により、選択された患者に対応する患者ＩＤが通信部２４を介して医療情報管理装置１０に送信される。
【００６７】
次に、クライアント端末２０において、操作部２２からの操作により、アップロードするファイル（医療情報）が選択される（ステップＳ６）。
次に、操作部２２からの操作により、ファイルの種類が入力されると（ステップＳ７）、制御部２１により、入力されたファイルの種類が通信部２４を介して医療情報管理装置１０に送信される。
次に、制御部２１により、選択されたファイルが通信部２４を介して医療情報管理装置１０にアップロードされる（ステップＳ８）。
【００６８】
医療情報管理装置１０では、通信部１２により選択患者の患者ＩＤ、ファイルの種類及びファイル（医療情報）が受信されると、制御部１１により、ファイルＩＤが付与される（ステップＳ９）。具体的には、制御部１１により、クライアント端末２０を操作するログインユーザーのユーザーＩＤに対応する施設ＩＤが記憶部１５のユーザー情報テーブルＴ２から取得され、計時部１４から現在日時が「登録日時」として取得される。そして、制御部１１により、施設ＩＤ、ログインユーザーのユーザーＩＤ及び登録日時が組み合わされ、アップロードされたファイルのファイル名が「施設ＩＤ_ユーザーＩＤ_登録日時.拡張子」に変更される（「00113_10567_20170517.pdf」等）。ファイルＩＤとして、このファイル名が用いられる。
【００６９】
次に、制御部１１により、記憶部１５のファイル格納部１５１において、選択患者の患者ＩＤフォルダーに、受信されたファイルが保存される（ステップＳ１０）。
【００７０】
次に、制御部１１により、ログインユーザー（登録ユーザー）のユーザーＩＤに対応する職種が記憶部１５のユーザー情報テーブルＴ２から取得され、登録ユーザーの職種に対応する公開職種が記憶部１５の公開職種初期値テーブルＴ５から取得される（ステップＳ１１）。
【００７１】
次に、制御部１１により、アップロードされたファイルについて、患者ＩＤ、ファイルＩＤ、ファイル種類、登録ユーザーＩＤ、登録日時、公開職種、公開職種の公開制限が対応付けられて記憶部１５の医療情報テーブルＴ４に登録される（ステップＳ１２）。具体的には、制御部１１により、ステップＳ５で選択された患者の患者ＩＤが「患者ＩＤ」フィールドに格納される。また、制御部１１により、ステップＳ９で付与されたファイルＩＤが「ファイルＩＤ」フィールドに格納され、ステップＳ７で入力されたファイル種類が「ファイル種類」フィールドに格納される。また、制御部１１により、ファイルのアップロード操作を行ったログインユーザーのユーザーＩＤが「登録ユーザーＩＤ」フィールドに格納され、ファイルＩＤが付与される際に計時部１４から取得された現在日時（アップロードされた日時）が「登録日時」フィールドに格納される。また、制御部１１により、ステップＳ１１で取得された公開職種が「公開職種」フィールドに格納される。また、制御部１１により、「公開職種の公開制限」の初期値として、「無期限」が設定される。
以上で、情報アップロード処理が終了する。
【００７２】
図１０は、医療情報管理装置１０及びクライアント端末２０により実行される情報登録処理を示すラダーチャートである。この処理は、医療情報の値（文字、数字等）が医療情報テーブルＴ４に登録される場合の処理である。医療情報管理装置１０における処理は、制御部１１と記憶部１５に記憶されているプログラムとの協働によるソフトウェア処理によって実現され、クライアント端末２０における処理は、制御部２１と記憶部２６に記憶されているプログラムとの協働によるソフトウェア処理によって実現される。
【００７３】
ステップＳ２１〜ステップＳ２４の処理は、情報アップロード処理（図９参照）のステップＳ１〜ステップＳ４の処理と同様であるため、説明を省略する。
【００７４】
クライアント端末２０の表示部２３に表示された患者リスト画面において、操作部２２からの操作により、医療情報を登録する患者が選択されると（ステップＳ２５）、制御部２１により、選択された患者に対応する患者ＩＤが通信部２４を介して医療情報管理装置１０に送信される。
【００７５】
次に、クライアント端末２０において、操作部２２からの操作により、登録する医療情報の項目（例えば、「傷病名」）が選択されると（ステップＳ２６）、制御部２１により、選択された項目に対応する項目コードが通信部２４を介して医療情報管理装置１０に送信される。
次に、操作部２２からの操作により、登録する医療情報の値（例えば、「循環器疾患」）が入力されると（ステップＳ２７）、制御部２１により、入力された値が通信部２４を介して医療情報管理装置１０に送信される。
【００７６】
医療情報管理装置１０では、通信部１２により選択患者の患者ＩＤ、項目コード及び値（医療情報の内容）が受信されると、制御部１１により、ログインユーザー（登録ユーザー）のユーザーＩＤに対応する職種が記憶部１５のユーザー情報テーブルＴ２から取得され、登録ユーザーの職種に対応する公開職種が記憶部１５の公開職種初期値テーブルＴ５から取得される（ステップＳ２８）。
【００７７】
次に、制御部１１により、登録される医療情報について、患者ＩＤ、項目コード、値、登録ユーザーＩＤ、登録日時、公開職種、公開職種の公開制限が対応付けられて記憶部１５の医療情報テーブルＴ４に登録される（ステップＳ２９）。具体的には、制御部１１により、ステップＳ２５で選択された患者の患者ＩＤが「患者ＩＤ」フィールドに格納される。また、制御部１１により、ステップＳ２６で選択された項目に対応する項目コードが「項目コード」フィールドに格納され、ステップＳ２７で入力された医療情報の値が「値」フィールドに格納される。また、制御部１１により、医療情報の登録操作を行ったログインユーザーのユーザーＩＤが「登録ユーザーＩＤ」フィールドに格納され、計時部１４から取得された現在日時が「登録日時」フィールドに格納される。また、制御部１１により、ステップＳ２８で取得された公開職種が「公開職種」フィールドに格納される。また、制御部１１により、「公開職種の公開制限」の初期値として、「無期限」が設定される。
以上で、情報登録処理が終了する。
【００７８】
図１１は、医療情報管理装置１０により実行される医療情報参照処理を示すフローチャートである。この処理は、制御部１１と記憶部１５に記憶されているプログラムとの協働によるソフトウェア処理によって実現される。
【００７９】
まず、制御部１１により、クライアント端末２０からのアクセスに応じて、ログイン処理が行われる（ステップＳ３１）。具体的には、通信部１２を介して、クライアント端末２０において入力されたユーザーＩＤ及びパスワードが取得され、制御部１１により、ユーザー認証が行われる。
【００８０】
次に、制御部１１により、クライアント端末２０からの患者リスト要求に応じて、クライアント端末２０に対し、通信部１２を介して患者リスト画面を表示するための表示用データが送信される。
クライアント端末２０では、通信部２４により患者リスト画面の表示用データが受信されると、制御部２１により、表示部２３に患者リスト画面が表示される。患者リスト画面において、操作部２２からの操作により、医療情報を参照する患者が選択されると、制御部２１により、選択された患者に対応する患者ＩＤが通信部２４を介して医療情報管理装置１０に送信される。
医療情報管理装置１０では、制御部１１により、参照対象として選択された患者の患者ＩＤが通信部１２を介して取得される（ステップＳ３２）。
【００８１】
次に、制御部１１により、クライアント端末２０を操作するログインユーザーのユーザーＩＤに対応する職種が記憶部１５のユーザー情報テーブルＴ２から取得される（ステップＳ３３）。
【００８２】
次に、制御部１１により、記憶部１５の医療情報テーブルＴ４から選択患者の情報が抽出される（ステップＳ３４）。具体的には、制御部１１により、医療情報テーブルＴ４から「患者ＩＤ」フィールドが選択患者の患者ＩＤであるレコードが抽出される。
【００８３】
次に、制御部１１により、抽出された選択患者の情報について、参照権限有無判断処理が行われる（ステップＳ３５）。参照権限有無判断処理は、選択患者の医療情報のそれぞれに対してログインユーザーに参照権限があるか否かを判断する処理である。
【００８４】
参照権限有無判断処理では、図１２に示すように、制御部１１により、医療情報テーブルＴ４から抽出された選択患者のレコードの中から、処理対象とする医療情報（処理対象レコード）が設定される（ステップＳ５１）。
【００８５】
次に、制御部１１により、選択患者の処理対象レコードが参照され、「公開禁止ユーザー」にログインユーザーのユーザーＩＤが含まれるか否かが判断される（ステップＳ５２）。
【００８６】
「公開禁止ユーザー」にログインユーザーのユーザーＩＤが含まれない場合には（ステップＳ５２；ＮＯ）、制御部１１により、選択患者の処理対象レコードが参照され、「公開ユーザー」にログインユーザーのユーザーＩＤが含まれるか否かが判断される（ステップＳ５３）。
【００８７】
「公開ユーザー」にログインユーザーのユーザーＩＤが含まれる場合には（ステップＳ５３；ＹＥＳ）、制御部１１により、選択患者の処理対象レコードが参照され、「公開ユーザーの公開制限」の条件を満たすか否かが判断される（ステップＳ５４）。例えば、公開期限が設定されている場合には、制御部１１により、計時部１４から取得された現在日時が公開期限内であるか否かが判断される。また、公開回数が設定されている場合には、制御部１１により、処理対象の医療情報に対するログインユーザーの参照回数カウンターの値が公開回数未満であるか否かが判断される。
【００８８】
ステップＳ５３において、「公開ユーザー」にログインユーザーのユーザーＩＤが含まれない場合（ステップＳ５３；ＮＯ）、又は、ステップＳ５４において、「公開ユーザーの公開制限」の条件を満たさない場合には（ステップＳ５４；ＮＯ）、制御部１１により、選択患者の処理対象レコードが参照され、「公開職種」にログインユーザーの職種が含まれるか否かが判断される（ステップＳ５５）。
【００８９】
「公開職種」にログインユーザーの職種が含まれる場合には（ステップＳ５５；ＹＥＳ）、制御部１１により、選択患者の処理対象レコードが参照され、「公開職種の公開制限」の条件を満たすか否かが判断される（ステップＳ５６）。「公開職種の公開制限」の条件を満たすか否かの判断方法は、ステップＳ５４と同様である。
【００９０】
ステップＳ５４において、「公開ユーザーの公開制限」の条件を満たす場合（ステップＳ５４；ＹＥＳ）、又は、ステップＳ５６において、「公開職種の公開制限」の条件を満たす場合には（ステップＳ５６；ＹＥＳ）、制御部１１により、選択患者の処理対象レコードに対してログインユーザーに参照権限があると判断される（ステップＳ５７）。
【００９１】
ステップＳ５２において、「公開禁止ユーザー」にログインユーザーのユーザーＩＤが含まれる場合（ステップＳ５２；ＹＥＳ）、ステップＳ５５において、「公開職種」にログインユーザーの職種が含まれない場合（ステップＳ５５；ＮＯ）、又は、ステップＳ５６において、「公開職種の公開制限」の条件を満たさない場合には（ステップＳ５６；ＮＯ）、制御部１１により、選択患者の処理対象レコードに対してログインユーザーに参照権限がないと判断される（ステップＳ５８）。
【００９２】
ステップＳ５７又はステップＳ５８の後、制御部１１により、選択患者の全ての情報について処理が終了したか否かが判断される（ステップＳ５９）。選択患者の情報のうち、未処理の情報がある場合には（ステップＳ５９；ＮＯ）、ステップＳ５１に戻り、他の医療情報が処理対象として設定され、処理が繰り返される。
【００９３】
ステップＳ５９において、選択患者の全ての情報について処理が終了した場合には（ステップＳ５９；ＹＥＳ）、図１１に戻る。
【００９４】
選択患者の医療情報に対してログインユーザーに参照権限がある場合には（ステップＳ３６；ＹＥＳ）、制御部１１により、医療情報特定情報を通常表示するための表示用データが生成され、通信部１２を介してクライアント端末２０に送信される（ステップＳ３７）。ここで、通常表示とは、参照権限がある医療情報であることを明示するために、医療情報特定情報を黒色文字等で表示することである。具体的に、医療情報がファイルとして登録されている場合には、制御部１１により、医療情報テーブルＴ４の対象レコードから「ファイル種類」及び「登録日時」が取得され、「ファイル種類」及び「登録日時」を通常表示するための表示用データが生成される。一方、医療情報の値が医療情報テーブルＴ４に登録されている場合には、制御部１１により、医療情報テーブルＴ４の対象レコードから「項目コード」及び「登録日時」が取得され、「項目コード」に対応する「項目」及び「登録日時」を通常表示するための表示用データが生成される。
クライアント端末２０では、通信部２４により表示用データが受信されると、制御部２１により、表示部２３に医療情報特定情報が通常表示される。
【００９５】
ステップＳ３６において、選択患者の医療情報に対してログインユーザーに参照権限がない場合には（ステップＳ３６；ＮＯ）、制御部１１により、医療情報特定情報をハーフトーン表示するための表示用データが生成され、通信部１２を介してクライアント端末２０に送信される（ステップＳ４０）。ここで、ハーフトーン表示とは、参照権限がない医療情報であることを明示するために、医療情報特定情報を灰色文字等で表示することである。具体的に、医療情報がファイルとして登録されている場合には、制御部１１により、医療情報テーブルＴ４の対象レコードから「ファイル種類」及び「登録日時」が取得され、「ファイル種類」及び「登録日時」をハーフトーン表示するための表示用データが生成される。一方、医療情報の値が医療情報テーブルＴ４に登録されている場合には、制御部１１により、医療情報テーブルＴ４の対象レコードから「項目コード」及び「登録日時」が取得され、「項目コード」に対応する「項目」及び「登録日時」をハーフトーン表示するための表示用データが生成される。
クライアント端末２０では、通信部２４により表示用データが受信されると、制御部２１により、表示部２３に医療情報特定情報がハーフトーン表示される。
【００９６】
図１１では、説明を簡単にするために、ステップＳ３６において、選択患者の医療情報に対する参照権限の有無に応じて、ステップＳ３７又はステップＳ４０に分岐するように記載しているが、実際には、選択患者の医療情報の一つ一つに対して参照権限の有無が判断され、参照権限がある医療情報と参照権限がない医療情報とが混在した状態で、クライアント端末２０の表示部２３に表示される。
【００９７】
図１３に、クライアント端末２０の表示部２３に表示される医療情報リスト画面２３１の例を示す。医療情報リスト画面２３１には、患者Ａの医療情報特定情報３１〜３４が表示されている。医療情報特定情報３１〜３４には、医療情報の「ファイル種類」と「登録日時」の組み合わせ、又は、「項目」と「登録日時」の組み合わせが含まれる。医療情報特定情報３２，３３については、ログインユーザーに参照権限があるため、黒色文字で表示されている。一方、医療情報特定情報３１，３４については、ログインユーザーに参照権限がないため、灰色文字で表示されている。
【００９８】
ステップＳ３７の後、医療情報管理装置１０では、制御部１１により、クライアント端末２０において、操作部２２からの操作により、参照権限がある医療情報の医療情報特定情報がクリックされたか否かが判断される（ステップＳ３８）。
参照権限がある医療情報の医療情報特定情報がクリックされた場合には（ステップＳ３８；ＹＥＳ）、制御部１１により、クリックされた医療情報特定情報に対応する医療情報を表示するための表示用データが生成され、通信部１２を介してクライアント端末２０に送信される（ステップＳ３９）。具体的に、医療情報がファイルとして登録されている場合には、制御部１１により、医療情報テーブルＴ４のクリックされた医療情報特定情報（「ファイル種類」と「登録日時」の組み合わせ）に該当するレコードから「ファイルＩＤ」が取得され、取得された「ファイルＩＤ」に基づいて、記憶部１５のファイル格納部１５１からファイルが読み出され、このファイルに基づいて、医療情報を表示するための表示用データが生成される。一方、医療情報の値が医療情報テーブルＴ４に登録されている場合には、制御部１１により、医療情報テーブルＴ４のクリックされた医療情報特定情報（「項目」と「登録日時」の組み合わせ）に該当するレコードから「値」が取得され、「項目」及び「値」を表示するための表示用データが生成される。
クライアント端末２０では、通信部２４により表示用データが受信されると、制御部２１により、表示部２３に医療情報が表示される。すなわち、医療情報に対応する公開範囲に含まれる医療従事者に対応するログインアカウントからアクセスがあった場合に、当該医療情報の参照が許可される。
【００９９】
医療情報管理装置１０では、制御部１１により、表示された医療情報に対するログインユーザーの参照回数カウンターに「１」が加算される。
【０１００】
ステップＳ４０の後、医療情報管理装置１０では、制御部１１により、クライアント端末２０において、操作部２２からの操作により、参照権限がない医療情報の医療情報特定情報がクリックされたか否かが判断される（ステップＳ４１）。
参照権限がない医療情報の医療情報特定情報がクリックされた場合には（ステップＳ４１；ＹＥＳ）、制御部１１により、クリックされた医療情報特定情報に対応する医療情報に対する公開要求確認画面を表示するための表示用データが生成され、通信部１２を介してクライアント端末２０に送信される（ステップＳ４２）。
クライアント端末２０では、通信部２４により表示用データが受信されると、制御部２１により、表示部２３に公開要求確認画面が表示される。
【０１０１】
図１４に、クライアント端末２０の表示部２３に表示される公開要求確認画面２３２の例を示す。公開要求確認画面２３２には、「はい」ボタンＢ１、「いいえ」ボタンＢ２が含まれる。「はい」ボタンＢ１は、医療情報の登録者に医療情報の公開を依頼する場合に、押下されるボタンである。「いいえ」ボタンＢ２は、医療情報の登録者に医療情報の公開を依頼しない場合に、押下されるボタンである。
【０１０２】
次に、医療情報管理装置１０では、制御部１１により、クライアント端末２０において、操作部２２からの操作により、公開要求が指示されたか否かが判断される（ステップＳ４３）。具体的には、制御部１１により、クライアント端末２０において、公開要求確認画面２３２の「はい」ボタンＢ１が押下されたと判断された場合に、公開要求が指示されたと判断され、「いいえ」ボタンＢ２が押下されたと判断された場合に、公開要求が指示されなかったと判断される。
【０１０３】
公開要求が指示された場合には（ステップＳ４３；ＹＥＳ）、制御部１１により、公開要求ＩＤが付与され、公開要求ＩＤ、患者ＩＤ、医療情報特定情報、公開要求者等が対応付けられて記憶部１５の公開要求管理テーブルＴ６に登録される（ステップＳ４４）。具体的には、制御部１１により、参照対象として選択された患者の患者ＩＤが「患者ＩＤ」フィールドに格納される。また、制御部１１により、公開対象として指定された医療情報の医療情報特定情報（ファイル種類と登録日時、又は、項目コードと登録日時）が「医療情報特定情報」フィールドに格納される。また、制御部１１により、ログインユーザーのユーザーＩＤが「公開要求者」フィールドに格納される。
【０１０４】
次に、制御部１１により、登録ユーザーに公開要求メールが送信される（ステップＳ４５）。具体的には、制御部１１により、医療情報テーブルＴ４の対象レコード（ステップＳ４１でクリックされた医療情報特定情報に対応するレコード）から「登録ユーザーＩＤ」が取得され、この「ユーザーＩＤ」に対応する「メールアドレス」がユーザー情報テーブルＴ２から取得され、登録ユーザーのメールアドレス宛てに、通信部１２を介して公開要求メールが送信される。公開要求メールには、患者、医療情報特定情報、公開要求者等が記載されている。また、公開要求メールには、公開要求ＩＤを特定可能なＵＲＬが記載されている。
登録ユーザーは、クライアント端末２０において、公開要求メールを確認する。
【０１０５】
ステップＳ３８において、参照権限がある医療情報の医療情報特定情報がクリックされない場合（ステップＳ３８；ＮＯ）、ステップＳ３９の後、ステップＳ４１において、参照権限がない医療情報の医療情報特定情報がクリックされない場合（ステップＳ４１；ＮＯ）、ステップＳ４３において、公開要求が指示されない場合（ステップＳ４３；ＮＯ）、又は、ステップＳ４５の後、医療情報参照処理が終了する。
【０１０６】
図１５は、医療情報管理装置１０により実行される公開要求応答処理を示すフローチャートである。この処理は、公開要求メールを受信したユーザーがクライアント端末２０から医療情報管理装置１０にアクセスする際の処理であって、制御部１１と記憶部１５に記憶されているプログラムとの協働によるソフトウェア処理によって実現される。
【０１０７】
まず、クライアント端末２０において、公開要求メールを受信したユーザー（登録ユーザー）の操作により、公開要求メールに記載されたＵＲＬが選択されると、制御部２１により、選択されたＵＲＬに基づいて、通信部２４を介して医療情報管理装置１０にアクセスが行われる。このＵＲＬには公開要求ＩＤが含まれており、医療情報管理装置１０では、クライアント端末２０からアクセスがあった場合に、いずれの公開要求に関するものであるかが特定される。
【０１０８】
医療情報管理装置１０において、公開要求メールを受信したユーザーの操作により、クライアント端末２０からアクセスがあると（ステップＳ６１）、制御部１１により、クライアント端末２０に対し、通信部１２を介してログイン画面を表示するための表示用データが送信され、ログイン処理が行われる（ステップＳ６２）。具体的には、通信部１２を介して、クライアント端末２０において入力されたユーザーＩＤ及びパスワードが取得され、制御部１１により、ユーザー認証が行われる。
【０１０９】
次に、制御部１１により、ＵＲＬに含まれていた公開要求ＩＤに基づいて、記憶部１５の公開要求管理テーブルＴ６から公開要求ＩＤに対応するレコード（患者ＩＤ、医療情報特定情報、公開要求者）が取得され、公開要求者の氏名、施設名称、職種、対象患者、医療情報特定情報を表示するための表示用データが生成される（ステップＳ６３）。具体的には、制御部１１により、公開要求ＩＤに対応するレコードに含まれる公開要求者（ユーザーＩＤ）に対応する氏名（公開要求者の氏名）、施設ＩＤ、職種が記憶部１５のユーザー情報テーブルＴ２から取得される。また、制御部１１により、施設ＩＤに対応する名称（施設名称）が記憶部１５の施設情報テーブルＴ１から取得される。また、制御部１１により、公開要求ＩＤに対応するレコードに含まれる患者ＩＤに対応する氏名（対象患者）が記憶部１５の患者情報テーブルＴ３から取得される。
クライアント端末２０では、通信部２４により表示用データが受信されると、制御部２１により、表示部２３に各情報が表示される。
【０１１０】
図１６に、クライアント端末２０の表示部２３に表示される公開承諾確認画面２３３の例を示す。公開承諾確認画面２３３は、患者Ａの医療情報「診療情報提供書（２０１７．０４．１０）」について、ユーザーＢ（公開要求者）に対し、公開を承諾するか否かを指示するための画面である。公開承諾確認画面２３３には、「公開する」ボタンＢ１１、「公開しない」ボタンＢ１２が含まれる。「公開する」ボタンＢ１１は、医療情報の登録者が公開要求者に対し医療情報の公開を承諾する場合に、押下されるボタンである。「公開しない」ボタンＢ１２は、医療情報の登録者が公開要求者に対し医療情報の公開を承諾しない場合に、押下されるボタンである。
【０１１１】
次に、制御部１１により、クライアント端末２０において、操作部２２からの操作により、公開要求があった医療情報に対して公開を承諾する旨の指示があったか否かが判断される（ステップＳ６４）。具体的には、制御部１１により、クライアント端末２０において、公開承諾確認画面２３３の「公開する」ボタンＢ１１が押下されたと判断された場合に、公開要求があった医療情報に対して公開を承諾する旨の指示があったと判断され、「公開しない」ボタンＢ１２が押下されたと判断された場合に、公開要求があった医療情報に対して公開を承諾する旨の指示がなかったと判断される。
【０１１２】
公開要求があった医療情報に対して公開を承諾する旨の指示があった場合には（ステップＳ６４；ＹＥＳ）、クライアント端末２０において、操作部２２からの操作により、公開制限（公開期限、公開回数等）が入力され、制御部２１により、入力された公開制限が通信部２４を介して医療情報管理装置１０に送信される。
医療情報管理装置１０では、通信部１２を介して公開制限が取得されると（ステップＳ６５）、制御部１１により、記憶部１５の医療情報テーブルＴ４の対象レコードに対し、公開ユーザー、公開ユーザーの公開制限が設定される（ステップＳ６６）。具体的には、制御部１１により、医療情報テーブルＴ４の対象レコードの「公開ユーザー」フィールドに公開要求者（ユーザーＩＤ）が格納され、「公開ユーザーの公開制限」フィールドにクライアント端末２０において入力された公開制限が格納される。すなわち、公開要求があった医療情報を登録した医療従事者に対応するログインアカウントにおいて当該医療情報の公開が承諾された場合に、当該医療情報に対応する公開範囲に公開要求者が追加される。
【０１１３】
この後、医療情報管理装置１０において、公開要求者に対応するログインアカウントからアクセスがあった場合に、「公開ユーザーの公開制限」の条件を満たすとき（公開期限内であるとき、公開要求者による公開要求の対象とされた医療情報の参照回数が公開回数未満であるとき等）には、公開要求の対象とされた医療情報は、参照権限があるものとして公開要求者に公開される。
【０１１４】
ステップＳ６４において、公開要求があった医療情報に対して公開を承諾する旨の指示がない場合（ステップＳ６４；ＮＯ）、又は、ステップＳ６６の後、制御部１１により、公開要求者に結果がメールで通知される（ステップＳ６７）。具体的には、制御部１１により、「公開要求者（ユーザーＩＤ）」に対応する「メールアドレス」がユーザー情報テーブルＴ２から取得される。
公開が承諾された場合には、制御部１１により、公開要求のあった医療情報に対応する公開範囲が変更されて公開要求者が参照可能となったこと、及び、公開制限が、通信部１２を介して公開要求者のメールアドレス宛てに通知される。
公開が承諾されなかった場合には、制御部１１により、公開要求のあった医療情報に対応する公開範囲が変更されなかったことが、通信部１２を介して公開要求者のメールアドレス宛てに通知される。
以上で、公開要求応答処理が終了する。
【０１１５】
図１７は、医療情報管理装置１０及びクライアント端末２０により実行される公開職種追加処理を示すラダーチャートである。この処理は、医療情報の公開範囲に公開職種を追加する処理である。医療情報管理装置１０における処理は、制御部１１と記憶部１５に記憶されているプログラムとの協働によるソフトウェア処理によって実現され、クライアント端末２０における処理は、制御部２１と記憶部２６に記憶されているプログラムとの協働によるソフトウェア処理によって実現される。
【０１１６】
ステップＳ７１及びステップＳ７２の処理は、情報アップロード処理（図９参照）のステップＳ１及びステップＳ２の処理と同様であるため、説明を省略する。
【０１１７】
次に、医療情報管理装置１０では、制御部１１により、記憶部１５の医療情報テーブルＴ４からログインユーザーが登録した情報が抽出される（ステップＳ７３）。具体的には、制御部１１により、医療情報テーブルＴ４から「登録ユーザーＩＤ」フィールドがログインユーザーのユーザーＩＤであるレコードが抽出される。
【０１１８】
次に、制御部１１により、抽出された情報に基づいて、医療情報リスト画面を表示するための表示用データが生成され、通信部１２を介してクライアント端末２０に送信される。医療情報リスト画面は、ログインユーザーが登録した医療情報を一覧表示するものである。
クライアント端末２０では、通信部２４により表示用データが受信されると、制御部２１により、表示部２３に医療情報リスト画面が表示される（ステップＳ７４）。
【０１１９】
クライアント端末２０の表示部２３に表示された医療情報リスト画面において、操作部２２からの操作により、公開範囲を変更する医療情報が選択されると（ステップＳ７５）、制御部２１により、選択された医療情報を示す情報が通信部２４を介して医療情報管理装置１０に送信される。
【０１２０】
医療情報管理装置１０では、通信部１２により選択された医療情報を示す情報が受信されると、制御部１１により、記憶部１５の医療情報テーブルＴ４から選択された医療情報に対応するレコードが取得され、当該レコードに含まれる公開職種、公開ユーザー、公開禁止ユーザーに基づいて、選択された医療情報に対して現在設定されている公開範囲を表示するための表示用データが生成され、通信部１２を介してクライアント端末２０に送信される。
クライアント端末２０では、通信部２４により表示用データが受信されると、制御部２１により、表示部２３に選択された医療情報に対して現在設定されている公開範囲が表示される（ステップＳ７６）。
【０１２１】
クライアント端末２０において、操作部２２からの操作により、追加する公開職種が選択されると（ステップＳ７７）、制御部２１により、選択された公開職種が通信部２４を介して医療情報管理装置１０に送信される。
次に、操作部２２からの操作により、追加する公開職種の公開制限（公開期限、公開回数等）が入力され（ステップＳ７８）、制御部２１により、入力された公開制限が通信部２４を介して医療情報管理装置１０に送信される。
【０１２２】
医療情報管理装置１０では、通信部１２を介して追加する公開職種、公開職種の公開制限が受信されると、制御部１１により、記憶部１５の医療情報テーブルＴ４の選択された医療情報に対応するレコードに対し、公開職種、公開職種の公開制限が追加される（ステップＳ７９）。
以上で、公開職種追加処理が終了する。
【０１２３】
公開職種追加処理の後、医療情報管理装置１０において、追加された公開職種に属する医療従事者に対応するログインアカウントからアクセスがあった場合に、「公開職種の公開制限」の条件を満たすとき（公開期限内であるとき、該当する医療従事者による該当する医療情報の参照回数が公開回数未満であるとき等）には、公開範囲の変更対象とされた医療情報は、参照権限があるものとして公開される。
【０１２４】
図１８は、医療情報管理装置１０及びクライアント端末２０により実行される公開禁止処理を示すラダーチャートである。この処理は、医療情報の公開範囲から特定の医療従事者を除外する処理である。医療情報管理装置１０における処理は、制御部１１と記憶部１５に記憶されているプログラムとの協働によるソフトウェア処理によって実現され、クライアント端末２０における処理は、制御部２１と記憶部２６に記憶されているプログラムとの協働によるソフトウェア処理によって実現される。
【０１２５】
ステップＳ８１〜ステップＳ８６の処理は、公開職種追加処理（図１７参照）のステップＳ７１〜ステップＳ７６の処理と同様であるため、説明を省略する。
【０１２６】
次に、クライアント端末２０において、操作部２２からの操作により、公開禁止ユーザーが選択されると（ステップＳ８７）、制御部２１により、選択された公開禁止ユーザーのユーザーＩＤが通信部２４を介して医療情報管理装置１０に送信される。
【０１２７】
医療情報管理装置１０では、通信部１２を介して公開禁止ユーザーのユーザーＩＤが受信されると、制御部１１により、記憶部１５の医療情報テーブルＴ４の選択された医療情報に対応するレコードに対し、公開禁止ユーザーが設定される（ステップＳ８８）。具体的には、制御部１１により、医療情報テーブルＴ４の対象レコードの「公開禁止ユーザー」フィールドに、選択された公開禁止ユーザーのユーザーＩＤが格納される。
以上で、公開禁止処理が終了する。
【０１２８】
公開禁止処理の後、医療情報管理装置１０において、公開禁止ユーザーに設定された医療従事者に対応するログインアカウントからアクセスがあった場合には、公開範囲の変更対象とされた医療情報は公開されない。
【０１２９】
以上説明したように、本実施の形態によれば、必要に応じて、医療情報の公開範囲を柔軟に変更できるようにすることで、医療業務の効率化を促進させることができる。医療情報ごとに公開範囲を変更可能であるため、システムの運用が開始された後であっても、状況に応じて、医療情報を参照可能な医療従事者を変更することができる。
具体的には、医療情報の参照を許可又は禁止する医療従事者を、医療従事者単位で設定することができる。
【０１３０】
また、或る医療情報の参照を希望する医療従事者に対応するログインアカウントから当該医療情報の公開要求があった場合に、当該医療情報を登録した医療従事者の通知先に当該医療情報の公開要求を送信するので、医療情報を登録した医療従事者に公開範囲の変更を依頼することができる。
その後、医療情報を登録した医療従事者に対応するログインアカウントにおいて医療情報の公開が承諾された場合に、医療情報に対応する公開範囲に医療情報の参照を希望する医療従事者を追加するので、医療情報の参照を希望する医療従事者に参照権限を与えることができる。
【０１３１】
また、医療情報に対応する公開範囲に医療情報の参照を希望する医療従事者が追加された場合に、当該追加された医療従事者の通知先に通知することにより、医療情報に対応する公開範囲が変更されたことを、医療情報の参照を希望する医療従事者に伝えることができる。
【０１３２】
また、公開期限を設定することで、医療情報に対応する公開範囲の変更を一時的に許可することができる。
また、公開回数を設定することで、上限回数を設けつつ、医療情報に対応する公開範囲の変更を許可することができる。
【０１３３】
〔変形例〕
次に、変形例について説明する。なお、上記実施の形態と同様の構成及び処理については図示及び説明を省略し、上記実施の形態と異なる部分を中心に説明する。
【０１３４】
医療情報管理装置１０の記憶部１５には、変更予定情報が記憶される。変更予定情報には、記憶部１５に記憶されている医療情報のうちいずれか一の医療情報（対象医療情報）を特定するための情報、対象医療情報の参照を一時的に許可する対象医療従事者、及び、対象医療情報の参照を許可する公開期間が含まれる。すなわち、記憶部１５は、第４記憶手段として機能する。
【０１３５】
制御部１１は、記憶部１５に記憶されている変更予定情報に基づいて、公開期間となった場合に、対象医療情報に対応する公開範囲に対象医療従事者を追加し、公開期間が終了した場合に、対象医療情報に対応する公開範囲から対象医療従事者を削除する。
【０１３６】
医療従事者は、クライアント端末２０から、医療従事者自身が登録した医療情報について、対象医療従事者及び公開期間を指定することで、変更予定情報を登録可能となっている。
【０１３７】
図１９は、医療情報管理装置１０により実行される公開範囲自動変更処理を示すフローチャートである。この処理は、予め設定された変更予定情報に基づいて、医療情報の公開範囲を変更する処理であり、制御部１１と記憶部１５に記憶されているプログラムとの協働によるソフトウェア処理によって実現される。
【０１３８】
まず、制御部１１により、計時部１４から現在日時が取得され、記憶部１５に記憶されている変更予定情報に含まれる公開期間となったか否かが判断される（ステップＳ９１）。公開期間前である場合には（ステップＳ９１；ＮＯ）、ステップＳ９１に戻る。
【０１３９】
公開期間となった場合には（ステップＳ９１；ＹＥＳ）、制御部１１により、変更予定情報に含まれる対象医療情報に対応する公開範囲に、変更予定情報に含まれる対象医療従事者が追加される（ステップＳ９２）。具体的には、制御部１１により、記憶部１５の医療情報テーブルＴ４の対象医療情報に対応するレコードの「公開ユーザー」フィールドに対象医療従事者のユーザーＩＤが追加される。ここで、「公開ユーザーの公開制限」については、「無期限」又は「公開期間の終了日付」に設定される。
【０１４０】
次に、制御部１１により、計時部１４から現在日時が取得され、変更予定情報に含まれる公開期間が終了したか否かが判断される（ステップＳ９３）。公開期間が終了していない場合には（ステップＳ９３；ＮＯ）、ステップＳ９３に戻る。
【０１４１】
公開期間が終了した場合には（ステップＳ９３；ＹＥＳ）、制御部１１により、変更予定情報に含まれる対象医療情報に対応する公開範囲から、変更予定情報に含まれる対象医療従事者が削除される（ステップＳ９４）。具体的には、制御部１１により、記憶部１５の医療情報テーブルＴ４の対象医療情報に対応するレコードの「公開ユーザー」フィールドから対象医療従事者のユーザーＩＤが削除され、「公開ユーザーの公開制限」における設定も解除される。
以上で、公開範囲自動変更処理が終了する。
【０１４２】
変形例によれば、上記実施の形態と同様の効果に加え、予め変更予定情報を設定しておくことで、医療情報が必要となる期間に合わせて、医療情報に対応する公開範囲を変更することができる。
【０１４３】
また、医療情報の公開範囲を変更する予定が定期的に（３か月に１回等）ある場合には、公開期間を複数設定し、公開範囲自動変更処理を繰り返すこととしてもよい。
【０１４４】
なお、上記実施の形態及び変形例における記述は、本発明に係る医療情報共有システムの例であり、これに限定されるものではない。システムを構成する各装置の細部構成及び細部動作に関しても本発明の趣旨を逸脱することのない範囲で適宜変更可能である。
【０１４５】
例えば、医療情報テーブルＴ４に「公開ユーザー」が設定され、「公開ユーザーの公開制限」に公開期限（無期限以外）が設定されている医療情報に対して、公開期限が過ぎた場合に、医療情報テーブルＴ４から該当する「公開ユーザー」及び「公開ユーザーの公開制限」を削除することとしてもよい。また、「公開職種」と「公開職種の公開制限」についても同様である。
【０１４６】
また、医療情報テーブルＴ４の「公開職種の公開制限」、「公開ユーザーの公開制限」として、情報取得可否が定められていることとしてもよい。情報取得可否とは、情報の取得に関する権限の有無を示す情報である。具体的には、ファイルとして登録されている医療情報に対しては、情報取得可否はダウンロード可否に相当する。ダウンロード可否が「否」に設定されている場合には、「公開職種」に属する医療従事者又は「公開ユーザー」に対応する医療従事者は、クライアント端末２０において、ファイルの内容を画面で参照することはできるが、ファイルをダウンロードすることはできない。値が直接医療情報テーブルＴ４に登録されている医療情報に対しては、情報取得可否はコピー可否に相当する。コピー可否が「否」に設定されている場合には、「公開職種」に属する医療従事者又は「公開ユーザー」に対応する医療従事者は、クライアント端末２０において、医療情報の内容（値）を画面で参照することはできるが、コピー＆ペーストによって値を取り込むことはできない。
【０１４７】
各処理を実行するためのプログラムを格納するコンピューター読み取り可能な媒体としては、ＨＤＤや不揮発性の半導体メモリーの他、ＣＤ−ＲＯＭ等の可搬型記録媒体を適用することも可能である。また、プログラムのデータを通信回線を介して提供する媒体として、キャリアウェーブ（搬送波）を適用することとしてもよい。
【符号の説明】
【０１４８】
１０  医療情報管理装置
１１  制御部
１２  通信部
１４  計時部
１５  記憶部
２０  クライアント端末
２１  制御部
２２  操作部
２３  表示部
２４  通信部
２６  記憶部
１００  医療情報共有システム
１５１  ファイル格納部
Ｎ  通信ネットワーク
Ｔ１  施設情報テーブル
Ｔ２  ユーザー情報テーブル
Ｔ３  患者情報テーブル
Ｔ４  医療情報テーブル
Ｔ５  公開職種初期値テーブル
Ｔ６  公開要求管理テーブル
【図１】
2019012385.tif 000003
【図２】
2019012385.tif 000004
【図３】
2019012385.tif 000005
【図４】
2019012385.tif 000006
【図５】
2019012385.tif 000007
【図６】
2019012385.tif 000008
【図７】
2019012385.tif 000009
【図８】
2019012385.tif 000010
【図９】
2019012385.tif 000011
【図１０】
2019012385.tif 000012
【図１１】
2019012385.tif 000013
【図１２】
2019012385.tif 000014
【図１３】
2019012385.tif 000015
【図１４】
2019012385.tif 000016
【図１５】
2019012385.tif 000017
【図１６】
2019012385.tif 000018
【図１７】
2019012385.tif 000019
【図１８】
2019012385.tif 000020
【図１９】
2019012385.tif 000021